(57)【要約】      （修正有）【課題】微妙な背もたれ角度調整を行なうことができると共に、構造を簡略化することができるレジャーチェアを提供する。【解決手段】前脚架１０と後脚架２０と背架３０とからなり、後脚架との結合部分及び背架と後脚架との結合部分が枢軸結合されることにより可動でき、背架中段の両側の相対する所のそれぞれに固定環５０を有し、固定環は貫通溝を有し、固定環の圧迫端が１組の固定部により背架上に固定設置され、固定環の締め具合いが調整でき、前脚架の両側の後端がそれぞれ延伸管１３をなし、固定環の貫通溝を貫通する構造で、固定環の固定部を締めたり或は緩めたりする構成とされる。【選択図】図１
0003101781.tif 000002
【実用新案登録請求の範囲】
【請求項１】
前脚架と後脚架と背架とを有し、
上記前脚架の前端及び上記後脚架の後端は着地端をなし、上記後脚架の前端は斜め上向きの状態で上記前脚架の中段に連結され、上記背架の底端は上記後脚架の中段に連結され、上記前脚架の後端は斜め上向きの状態で上記背架の中段に連結され、
上記前脚架と上記後脚架との結合部分、及び上記背架と上記後脚架との結合部分がボルトで可動可能に枢軸結合され、
上記背架の中段の両側の相対する所のそれぞれに固定環を有し、上記固定環は一端に半管状の貫通溝を具備する１つのＵ形プレートで、上記貫通溝のもう一端は圧迫端をなし、上記圧迫端が１組の固定部により上記背架上に固定設置され、
上記固定環の上記貫通溝の締め具合が調整でき、上記前脚架の両側の後端がそれぞれ延伸管をなし、上記固定環の上記貫通溝を貫通する構造で、上記固定環の上記固定部を締めたり或は緩めたりすることにより、上記背架の角度を自由に調整し、固定することを特徴とするレジャーチェア。
【請求項２】
上記固定部は、クイックレリーズ式のレバー構造であることを特徴とする請求項１記載のレジャーチェア。
【考案の詳細な説明】
【技術分野】
【０００１】
本考案はレジャーチェアに係るものであり、特に、一種の背もたれ角度調整機能付きレジャーチェアに係るものである。
【背景技術】
【０００２】
現在市販されている多くのレジャーチェアは、消費者のニーズに合わせ、持ち運びに便利な折りたたみ機能や、背もたれ角度調整機能を具備している。そのような機能を有するレジャーチェアの構造は、椅子両側のアーム底部に前後方向に間隔を開けて配列した固定溝を有する。更に、前後脚架の上端に固定溝に対応する１つの固定ロッドを有する。上記構造において、アーム底部の固定溝に固定ロッドを嵌入させる位置を調整することにより、背もたれの傾斜角度を調整することができる。このような従来のレジャーチェアの背もたれ角度調整機能などを改善したレジャーチェアの開発が、関係業界では目標となっている。
【考案の開示】
【考案が解決しようとする課題】
【０００３】
しかしながら、従来のレジャーチェアの背もたれ角度調整が固定式定位点の為、微妙な調整を行なうことができないという問題点があった。また、従来のレジャーチェアの構造形態は可動式アーム及び上端に相対結合できる前、後脚架を具備しなければならないため、構造の簡略化が難しいという問題点があった。
【０００４】
従って、本考案は、微妙な背もたれ角度調整を行なうことができると共に、構造を簡略化することができるレジャーチェアを提供することを目的とする。
【課題を解決するための手段】
【０００５】
前記の目的を図るために、請求項１に記載されるように、本考案は、前脚架と後脚架と背架とを有し、上記前脚架の前端及び上記後脚架の後端は着地端をなし、上記後脚架の前端は斜め上向きの状態で上記前脚架の中段に連結され、上記背架の底端は上記後脚架の中段に連結され、上記前脚架の後端は斜め上向きの状態で上記背架の中段に連結され、上記前脚架と上記後脚架との結合部分、及び上記背架と上記後脚架との結合部分がボルトで可動可能に枢軸結合され、上記背架の中段の両側の相対する所のそれぞれに固定環を有し、上記固定環は一端に半管状の貫通溝を具備する１つのＵ形プレートで、上記貫通溝のもう一端は圧迫端をなし、上記圧迫端が１組の固定部により上記背架上に固定設置され、上記固定環の上記貫通溝の締め具合が調整でき、上記前脚架の両側の後端がそれぞれ延伸管をなし、上記固定環の上記貫通溝を貫通する構造で、上記固定環の上記固定部を締めたり或は緩めたりすることにより、上記背架の角度を自由に調整し、固定することにより、微妙な背もたれ角度調整を行なうことができると共に、構造を簡略化することができる。
【０００６】
前記の目的を図るために、請求項２に記載されるように、本考案は、上記固定部は、クイックレリーズ式のレバー構造であることにより、微妙な背もたれ角度調整を行なうことができると共に、構造を簡略化することができる。
【考案の効果】
【０００７】
本考案のレジャーチェアにおいて、前脚架の延伸管が背架に設置された固定環を貫通し、固定環により固定されることにより、背架を任意の角度で固定することができ、背架の無段式角度調整が可能となる。
【０００８】
また、本考案のレジャーチェアにおいて、前脚架の延伸管が固定環によって背架上に固定されることにより、背架を支えるとともに、アームとして使用することができ、大幅な簡略化を可能とし、製造及び組み立てコストを下げることができる。
【考案を実施するための最良の形態】
【０００９】
以下に添付図面を参照して本考案のある好適な実施の形態を詳細に説明するが、それらの構成は本考案の構造の絶対的な制限にならない。
【００１０】
図１は、本考案の一実施例に係るレジャーチェアを示す斜視図である。図２は、本考案の前脚架と背架との結合部分を示す拡大図である。図３は、本考案の前脚架と背架との固定状態を示す断面図である。図４は、本考案の前脚架と背架との可動状態を示す断面図である。図５は、本考案の背架を傾斜させた状態を示す側視図である。図６は、本考案の背架を傾斜させた状態を示す側視図である。図７は、本考案の背架を前方に傾斜させた状態を示す側視図である。図８は、本考案のレジャーチェアの骨組に椅子カバーを取り付けた状態を示す斜視図である。
【００１１】
図１、２、３に示すように、本考案の背もたれ角度調整機能付きレジャーチェアの構造は、主に、前脚架１０と後脚架２０と背架３０とで構成される。前脚架１０の前端１１及び後脚架２０の後端２１は着地端をなし、後脚架２０の前端２２は斜め上向きの状態で前脚架１０の中段に連結される。背架３０の底端３１は、後脚架２０の中段に連結され、前脚架１０の後端１２は斜め上向きの状態で背架３０の中段に連結されている。
【００１２】
本考案のレジャーチェアの特徴は、前脚架１０と後脚架２０との結合部分、及び背架３０と後脚架２０との結合部分がボルト４１、４２で枢軸結合されることにより可動させることができる。背架３０中段の両側の相対する所のそれぞれに固定環５０を有する。固定環５０は、一端に半管状の貫通溝５１を具備する１つのＵ形プレートで、貫通溝５１のもう一端は圧迫端５２をなし、圧迫端５２が１組の固定部により背架３０上に固定設置されている。且つ、固定環５０の貫通溝５１の締め具合が調整でき、前脚架１０の両側の後端１２がそれぞれ延伸管１３をなし、固定環５０の貫通溝５１を貫通する構造である。固定環５０の固定部を締めたり或は緩めたりすることにより、背架３０の角度を自由に調整し、且つ、固定することができる。
【００１３】
固定部はクイックレリーズ式のレバー６４構造であり、図３に示すように、主に１つのボルト６１と、１つのナット６２と、１つの圧迫部６３と、１つのレバー６４とで構成される。固定環５０の圧迫端５２と背架３０の中段との相対する位置にそれぞれ貫通孔５３、３２を有する。
【００１４】
ボルト６１を貫通孔５３、３２に貫通させた後、ボルト６１のネジ山６５にナット６２を締める。これにより、固定環５０を背架３０上に固定させることができ、圧迫部６３はレバー６４と固定環５０の圧迫端５２外側との間に設置される。上記構造により、レバー６４を締める時（図３に示す）、レバー６４の圧迫縁６６は圧迫部６３を圧迫し、固定環５０の圧迫端５２を挟み、前脚架１０の延伸管１３が固定環５０の貫通溝５１内に固定された状態になる。
【００１５】
これにより、背架３０は固定された状態になり、反対に、レバー６４を緩める時（図４に示す）、レバー６４の圧迫縁６６が圧迫部６３から離れ、固定環５０の圧迫端５２を緩める状態になり、前脚架１０の延伸管１３は固定環５０の貫通溝５１内を可動できる状態になる。これにより、背架３０は角度調整が可能となり、図５、図６に示すように、背架３０は傾斜角度を変えることができる。
【００１６】
また、図７に示すように、背架３０は前に倒すこともできる。図８に示すように、本考案のレジャーチェアは骨組に椅子カバー７０を取り付けることもできる。
【００１７】
このように、本考案のレジャーチェアにおいて、前脚架の延伸管が背架に設置された固定環を貫通し、固定環により固定されることにより、背架を任意の角度で固定することができ、背架の無段式角度調整が可能となる。
【００１８】
また、本考案のレジャーチェアにおいて、前脚架の延伸管が固定環によって背架上に固定されることにより、背架を支えるとともに、アームとして使用することができ、大幅な簡略化を可能とし、製造及び組み立てコストを下げることができる。
【００１９】
尚、本考案のレジャーチェアは上記の構成や形状に限定されることなく、本考案のレジャーチェアを変形及び改良した構成においても適応可能である。
【図面の簡単な説明】
【００２０】
【図１】本考案の一実施例に係るレジャーチェアを示す斜視図である。
【図２】本考案の前脚架と背架との結合部分を示す拡大図である。
【図３】本考案の前脚架と背架との固定状態を示す断面図である。
【図４】本考案の前脚架と背架との可動状態を示す断面図である。
【図５】本考案の背架を傾斜させた状態を示す側視図である。
【図６】本考案の背架を傾斜させた状態を示す側視図である。
【図７】本考案の背架を前方に傾斜させた状態を示す側視図である。
【図８】本考案のレジャーチェアの骨組に椅子カバーを取り付けた状態を示す斜視図である。
【符号の説明】
【００２１】
１０          前脚架
１１          前端
１２          後端
１３          延伸管
２０          後脚架
２１          後端
２２          前端
３０          背架
３１          底端
３２、５３    貫通孔
４１、４２    ボルト
５０          固定環
５１          貫通溝
５２          圧迫端
６１          ボルト
６２          ナット
６３          圧迫部
６４          レバー
６６          圧迫縁
７０          椅子カバー
【図１】
0003101781.tif 000003
【図２】
0003101781.tif 000004
【図３】
0003101781.tif 000005
【図４】
0003101781.tif 000006
【図５】
0003101781.tif 000007
【図６】
0003101781.tif 000008
【図７】
0003101781.tif 000009
【図８】
0003101781.tif 000010